(57)【要約】【課題】単独の接続器具で栄養剤等の注入及び体内ガスの排気ができ、介護者による管理を容易にすると共に、安価に製造可能な接続器具を提供する。【解決手段】体内臓器へ栄養剤、薬剤等の流体物を補給する流体物補給管と、内腔に体内臓器から流体物等が逆流することを防止する逆流防止弁を有し経皮的に瘻孔を通じて体内臓器に留置される瘻孔用カテーテルと、を接続する接続器具であって、接続チューブ本体と、接続チューブ本体基端部に流体物補給管と接続する第１接続部と、接続チューブ本体先端部に接続チューブ本体の軸線方向と直交する方向に第２接続部を有するコノ字状のコノ字接続部材と、を備えると共に、第２接続部と着脱可能に接続され、瘻孔用カテーテルを体内臓器に留置中、瘻孔用カテーテルの逆流防止弁を越して差し込むと体内臓器内と連通する連通部を有する筒状の減圧部材と、から構成されることを特徴とする。【選択図】図１
2010220738.tif 000002
【特許請求の範囲】
【請求項１】
体内臓器へ栄養剤、薬剤等の流体物を補給する流体物補給管と、内腔に前記体内臓器から前記流体物等が逆流することを防止する逆流防止弁を有し経皮的に瘻孔を通じて体内臓器に留置される瘻孔用カテーテルと、を接続する接続器具であって、
接続チューブ本体と、
前記接続チューブ本体基端部に前記流体物補給管と接続する第１接続部と、
前記接続チューブ本体先端部に前記接続チューブ本体の軸線方向と直交する方向に第２接続部を有するコノ字状のコノ字接続部材と、
を備えると共に、
前記第２接続部と着脱可能に接続され、前記瘻孔用カテーテルを体内臓器に留置中、前記瘻孔用カテーテルの逆流防止弁を越して差し込むと、体内臓器内と連通する連通部を有する筒状の減圧部材と、
から構成されることを特徴とする接続器具。
【請求項２】
前記減圧部材の連通部は、先端部から基端部に向かって少なくとも１つ形成されたものである請求項１に記載の接続器具。
【請求項３】
前記減圧部材の連通部の形状は、略Ｕ字状である請求項１又は２に記載の接続器具。
【発明の詳細な説明】
【技術分野】
【０００１】
本発明は、接続器具に関するものである。
【背景技術】
【０００２】
経口的に栄養を摂取できない患者に対する栄養剤の投与方法として、経皮内視鏡的胃瘻造設術（以下、「ＰＥＧ」と略す）による経腸栄養管理が頻繁に行われている。このＰＥＧにおいては瘻孔用カテーテルが使用され、この瘻孔用カテーテルを介して栄養剤が体外から胃内へ経皮的に補給される。瘻孔用カテーテルはその留置手技、患者の容態、使用期間、介護者の操作性等を考慮して様々な種類が存在する。患者の体表における嵩張りが少ないボタンタイプの瘻孔用カテーテルの場合、瘻孔用カテーテルの栄養通路と栄養剤の入った栄養バッグ等を連結させる為に、接続器具が使用される。
【０００３】
栄養剤を注入する場合は、栄養バッグなどを高い位置に吊るして固定し、自然落下にて約１〜２時間をかけてゆっくり注入する方法が一般的に行われている。この場合は、患者の体表部での嵩張りを押さえるように工夫された器具が開示されている。（例えば、特許文献１参照）
また、瘻孔用カテーテルが留置された後、体内ガスを排気したい場合があるが、一般的にボタンタイプの瘻孔用カテーテルには逆流防止弁が付設されていることから（例えば、特許文献２参照）排気することが困難であり、特別な器具を揃えておく必要があった。
【先行技術文献】
【特許文献】
【０００４】
【特許文献１】特開２００２−５３７０７６号公報
【特許文献２】特開２００５−５１２７３３号公報
【発明の開示】
【発明が解決しようとする課題】
【０００５】
上記のように従来の接続器具は、栄養剤を注入する場合や体内ガスを排気する場合、複数の接続器具を選択して使用及び管理する必要があり、介護者にとっては煩わしいものであった。
本発明は上記事情に鑑みてなされたものであり、単独の接続器具で栄養剤等の注入及び体内ガスの排気ができ、介護者による管理を容易にすると共に、安価に製造可能な接続器具を提供することにある。
【課題を解決するための手段】
【０００６】
このような目的は、下記（１）〜（３）に記載の本発明により達成される。
（１）体内臓器へ栄養剤、薬剤等の流体物を補給する流体物補給管と、内腔に前記体内臓器から前記流体物等が逆流することを防止する逆流防止弁を有し経皮的に瘻孔を通じて体内臓器に留置される瘻孔用カテーテルと、を接続する接続器具であって、接続チューブ本体と、前記接続チューブ本体基端部に前記流体物補給管と接続する第１接続部と、前記接続チューブ本体先端部に前記接続チューブ本体の軸線方向と直交する方向に第２接続部を有するコノ字状のコノ字接続部材と、を備えると共に、前記第２接続部と着脱可能に接続され、前記瘻孔用カテーテルを体内臓器に留置中、前記瘻孔用カテーテルの逆流防止弁を越して差し込むと体内臓器内と連通する両端が開放された連通部を有する筒状の減圧部材と、から構成されることを特徴とする接続器具。
（２）前記減圧部材の連通部は、先端部から基端部に向かって少なくとも１つ形成されたものである請求項１に記載の接続器具。
（３）前記減圧部材の連通部の形状は、略Ｕ字状である請求項１又は２に記載の接続器具。
【発明の効果】
【０００７】
本発明によれば、単独の接続器具で栄養剤等の注入及び体内ガスの排気ができ、介護者による管理を容易にすると共に、安価に製造可能な接続器具を提供することができる。
【図面の簡単な説明】
【０００８】
【図１】本発明の接続器具を示す概観図である。
【図２】本発明の接続器具に用いられる減圧部材の着脱状態を示す断面図である。
【図３】本発明の接続器具にて栄養剤の注入時を示す概観図である。
【図４】一般的に使用される瘻孔用カテーテルの断面図である。
【図５】本発明の接続器具にて体内ガスの排気時を示す断面図（一部概観図）及び減圧部材が瘻孔用カテーテルの逆流防止弁を越して差し込まれている状態を示す拡大断面図である。
【発明を実施するための形態】
【０００９】
以下、各構成要件について図面を用いて詳細に説明する。
図１は本発明の接続器具の一実施例を示す概観図であり、図２は本発明の接続器具に用いられる減圧部材の着脱状態を示す断面図である。
接続器具１は、図３に示すように、栄養剤等が充填された栄養バッグ７の流体物補給管６のコネクター６１に接続可能な第１接続部２１と、栄養剤等を上記流体物補給管６から瘻孔用カテーテル５へ補給する為の通路２２を備えた接続チューブ本体２と、栄養剤等を上記瘻孔用カテーテル５の栄養通路へ補給する為の上記接続チューブ２の軸方向と直行する方向に第２接続部３１を有するコノ字状のコノ字接続部材３、及び上記第２接続部３１に着脱可能な上記瘻孔用カテーテル５を体内臓器に留置中、上記瘻孔用カテーテル５の逆流防止弁５１を越して差し込むと、体内臓器内と連通する連通部を有する筒状の減圧部材４と、で構成されている。
【００１０】
本発明の接続器具１は、栄養剤等を時間をかけてゆっくり注入する場合には、減圧部材４を外した状態で使用することができる（図３）。接続チューブ本体２の通路２２は広い径に設定されることが良く、接続する瘻孔用カテーテル５の栄養通路の径に可能な限り近づけることが好ましい。また、第１接続部２１、第２接続部３１を含む接続チューブ本体２の全長は、特に限定されないが、１００〜８００ｍｍ程度とすることがよく、好ましくは１５０〜６００ｍｍである。上記寸法範囲内であれば、種々の粘度の栄養剤が使用されるＰＥＧの用途で、特にストレスなく注入操作が可能となる。
【００１１】
第１接続部２１と第２接続部３１は、接続チューブ本体２に対し、単なる嵌合、若しくは接着のどちらで接合してもよい。繰り返し使用されることもある為、接着により接合することが好ましい。
このような接続チューブ本体２の各部材を構成する材料としては、例えば、塩化ビニル樹脂、ＡＢＳ樹脂、ポリカーボネート樹脂、ポリウレタン樹脂、ポリプロピレン樹脂、ポリエチレン樹脂等の樹脂材料が挙げられる。特に限定はされないが、接続チューブ本体２のチューブ部分は、上記樹脂のうち、塩化ビニル樹脂、ポリウレタン樹脂などの軟質材料で形成し、チューブ部分以外は、チューブ部分に使用した樹脂と接着性の高い樹脂を選択することが好ましい。
【００１２】
上記第１接続部２１は、上記流体物補給管６のコネクター６１と接続して使用され、接続部の気密性を保ち、栄養剤の注入圧力に負けて外れることがなければ、形状は特に限定されない。流体物補給管６のコネクター６１がオス型コネクターで形成されることが一般的である為、第１接続部２１はメス型コネクターで形成されることが実用的である。嵌合強度を向上させる為に、メス型コネクター内部にリブを付設しても良い。また、瘻孔用カテーテル５がボタンタイプのカテーテルであり、寝たきりの患者に対して接続器具１を長時間繋ぎ続けて使用されることも稀にある。この場合において、第１接続部２１に体内臓器内の気密を保つことを目的に栓２１１が付設されていても良い。
【００１３】
上記第２接続部３１は、上記瘻孔用カテーテル５の栄養通路に接続して使用される場合には、接続部の気密性を保ち、栄養剤の注入圧力に負けて外れることがなければ、形状は特に限定されない。瘻孔用カテーテル５は患者に長期間留置されて使用される為、嵩張りの少ないことが好ましく、第２接続部３１と接続する箇所はメス型コネクターで形成されることが一般的である。したがって第２接続部３１はオス型コネクターで形成されることが好ましい。これにより栄養剤の注入が終了すると、接続器具１を瘻孔用カテーテル５から取り外し、瘻孔用カテーテル５を嵩張りのない状態とすることができる。
また、第２接続部３１は、瘻孔用カテーテル５の栄養通路の内径に対し圧入となる寸法とすることで嵌合強度を上げることができ、更に好ましくは、第２接続部３１の外面に凸部３１１を設けることで、瘻孔用カテーテル５との嵌合強度を向上させることができる。
【００１４】
上記第２接続部３１を瘻孔用カテーテル５と接続する時、また減圧部材４の第３接続部４１とを着脱する際の滑り止めのために、上記第２接続部３１の近傍に滑り止め手段３２を付設することが好ましい。滑り止め手段３２を設けることで油分を含む栄養剤を使用する時や減圧部材４の第３接続部４１とを着脱する時に確実に接続操作を行うことができる。この滑り止め手段３２の形状は、滑り止めとして機能すれば特に限定されず、単なる突起、網目状の突起、凹み、ローレット加工処理などの形状とすることができる。
【００１５】
本発明の接続器具で用いられる減圧部材４は、体内ガスの排気の際、上記接続チューブ本体２の先端側に備えられた第２接続部３１に嵌合した状態で使用することができる（図５参照）。
この減圧部材４は、接続チューブ本体２の第２接続部３１に着脱可能な第３接続部４１と、瘻孔用カテーテル５の栄養経路から逆流防止弁５１を越して差し込んだ際、体内臓器内と連通する減圧部通路４３と、連通部４２を有している。
【００１６】
上述したとおり、接続チューブ本体２の第２接続部３１と減圧部材４の第３接続部４１を着脱可能とすることで、栄養剤等の注入時は、減圧部材４を取り外して使用し、減圧が必要となった時には、単にコノ字型接続部材の第３接続部に減圧部材４を取り付けて瘻孔用カテーテルに差し込むだけですみ、特別な器具を別に用意したり、器具の取り外しや取付に過剰な注意を払う必要もない。したがって、使用目的別に、複数の接続器具を使用及び管理しなければならなかった従来の介護者の煩わしさを軽減させることができる。更に本発明の接続器具は、従来のように複数の接続器具を使用する必要がないためトータル的に安価に製造することができる効果を有するものである。
【００１７】
上記減圧部材４の第３接続部４１は、上記接続チューブ本体２の第２接続部３１と嵌合した状態で使用されるが、嵌合部の気密性を保ち、減圧の際の取り扱いによって外れることがなければ、形状は特に限定されない。好ましくは、接続チューブ本体２の第２接続部３１に対し、減圧部材４の第３接続部４１が圧入となる寸法とすることで、着脱における嵌合強度を上げることができる。更には、第２接続部３１の内部に凸部（不図示）を設けることで、着脱における嵌合強度を向上できるため好ましい。又、第３接続部４１の外周に凸部４１２を設け、第２接続部３１の内部の凹部３１２に嵌め込んで固定するロック式の嵌合部とすることもできる。  
【００１８】
減圧部材４の連通部４２は、先端部から基端部に向かって少なくとも一つ形成されていることが好ましい。また、この連通部の形状は略Ｕ字状であることが好ましい。この減圧部材４は、瘻孔用カテーテル５の栄養経路から逆流防止弁５１を越して差し込み、体内臓器内と連通させて使用するが、逆流防止弁５１を越して差し込むことができれば、特に長さは限定されない。
上記減圧部材４の連通部４２は、瘻孔用カテーテル５の栄養経路から逆流防止弁５１を越して差し込んだ際、減圧部材４の先端部に栄養剤等の固着物があって先端孔が塞がれた場合にも側面に連通部４２が有るため体内臓器と連通することが可能となり、体内ガスを容易に排することができる。
この連通部４２の形状は、減圧効果を向上させるためにより広く、かつ、逆流防止弁５１を開口させる強度を有するために略Ｕ字状が好ましいが、特に限定されない。
【００１９】
さて、上記減圧部材４を構成する材料としては、例えば、塩化ビニル樹脂、ＡＢＳ樹脂、ポリカーボネート樹脂、ポリウレタン樹脂、ポリプロピレン樹脂、ポリエチレン樹脂等が挙げられる。特に限定はされないが、上記減圧部材４と上記接続チューブ本体２の第２接続部３１との嵌合強度が向上できる組合せが好ましい
【００２０】
以上、本発明の接続器具の実施形態を図面に基づいて説明したが、本発明はこれに限定されるものではない。各接続部の形状はオスとメスが逆であっても良く、各接続部の嵌合強度を向上するための凸部と凹部も逆であっても良い。
【符号の説明】
【００２１】
１      接続器具
２      接続チューブ本体
２１    第１接続部
２１１  栓
２２    通路
３      コの字接続部材
３１    第２接続部
３１１  凸部
３１２  凹部
３２    滑り止め手段
３３    コノ字型通路
４      減圧部材
４１    第３接続部
４１２  凸部  
４２    連通部  
４３    減圧部通路
５      瘻孔用カテーテル
５１    逆流防止弁
６      流体物補給管
６１    流体物補給管のコネクター
７      栄養バッグ        
【図１】
2010220738.tif 000003
【図２】
2010220738.tif 000004
【図３】
2010220738.tif 000005
【図４】
2010220738.tif 000006
【図５】
2010220738.tif 000007